(57)【特許請求の範囲】
【請求項１】
インターネット標準プロトコルを実行するプロトコル実行手段と、公衆通信網を使用して情報を通信する通信手段とを有するデータ通信装置において、
各宛先に対応してインターネットの宛先、および公衆通信網を使用した宛先を登録する登録手段と；
通信が選択された場合に、はじめにプロトコル実行手段によってインターネットを介した通信を試行し、通信が成立しない時は、再度インターネットを介した通信を行い、それでも通信が成立しない時は、通信手段により公衆通信網を使用した通信を試行する制御手段と；
を有し、インターネットを介した通信を実行した後、この通信が成立せずに、再びインターネットを介した通信を開始するまでの時間は、公衆通信網を使用した通信の再ダイヤル間隔より長くすることを特徴とするデータ通信装置。
【請求項２】
請求項１において、
インターネットを介した通信を実行した後、この通信が成立せずに、再びインターネットを介した通信を開始するまでの時間は、１通信の中で徐々に長くすることを特徴とするデータ通信装置。
【請求項３】
請求項１または請求項２において、
通信の成立時には、この通信が終了したものとして判断することを特徴とするデータ通信装置。
【請求項４】
請求項１において、
インターネットを介した通信を実行した後、この通信が成立せずに、通信不可の情報を検出した場合には、この時点から所定時間経過後に、所定回数に限り、インターネットを介した通信を試行することを特徴とするデータ通信装置。
【請求項５】
請求項１において、
上記制御手段は、通信が選択された場合に、はじめに所定回数は、上記プロトコル実行手段がインターネットを介した通信を試行し、所定回数を超えても通信が成立しない時は、上記通信手段によって公衆通信網を使用した通信を、所定回数試行する手段であることを特徴とするデータ通信装置。
【請求項６】
インターネット標準プロトロルを実行するプロトコル実行工程と、公衆通信網を使用して情報を通信する通信工程とを有するデータ通信方法において、
各宛先に対応してインターネットの宛先、および公衆通信網を使用した宛先を登録する登録工程と；
通信が選択された場合に、はじめに上記プロトコル実行工程によってインターネットを介した通信を試行し、通信が成立しない時は、再度インターネットを介した通信を行い、それでも通信が成立しない時は、上記通信工程で公衆通信網を使用した通信を試行する制御工程と；
を有し、インターネットを介した通信を実行した後、この通信が成立せずに、再びインターネットを介した通信を開始するまでの時間は、公衆通信網を使用した通信の再ダイヤル間隔より長くすることを特徴とするデータ通信方法。
【請求項７】
請求項６において、
上記制御工程は、通信が選択された場合に、はじめに所定回数は、上記プロトコル実行工程でインターネットを介した通信を試行し、所定回数を超えても通信が成立しない時は、上記通信工程で公衆通信網を使用した通信を、所定回数試行する工程であることを特徴とするデータ通信方法。
【請求項８】
通信装置を制御するプログラムを記憶したコンピュータ読取可能な記憶媒体において、
インターネット標準プロトロルを実行するプロトコル実行工程と；
公衆通信網を使用して情報を通信する通信工程と；
各宛先に対応してインターネットの宛先、および公衆通信網を使用した宛先を登録する登録工程と；
通信が選択された場合に、はじめにプロトコル実行工程によってインターネットを介した通信を試行し、通信が成立しない時は、再度インターネットを介した通信を行い、それでも通信が成立しない時は、上記通信工程で公衆通信網を使用した通信を試行する制御工程と；
を実行するプログラムを記憶するコンピュータ読取可能な記憶媒体であって、
インターネットを介した通信を実行した後、この通信が成立せずに、再びインターネットを介した通信を開始するまでの時間は、公衆通信網を使用した通信の再ダイヤル間隔より長くすることを特徴とする記録媒体。
【請求項９】
請求項８において、
上記制御工程は、通信が選択された場合に、はじめに所定回数は、上記プロトコル実行工程でインターネットを介した通信を試行し、所定回数を超えても通信が成立しない時は、上記通信工程で公衆通信網を使用した通信を、所定回数試行する工程であることを特徴とする記憶媒体。
【発明の詳細な説明】
【０００１】
【発明の属する技術分野】
本発明は、インターネットを介してファクシミリ通信可能なファクシミリ装置等のデータ通信装置に関するものである。
【０００２】
【従来の技術】
従来より、インターネットを介してファクシミリ通信可能なファクシミリ装置においては、インターネットを介した通信の宛先が入力されると、この宛先へ対して専用線ＩＰ（Internet Protocol ）接続をする。その後、ＴＣＰ−ＩＰ（Transmission Control Protocol −Internet Protocol ）プロトコルにより、ファクシミリ情報をＴＩＦＦ（Tag Image File Format ）フォーマットに変換し、ＭＩＭＥ（Multipurpose Internet Mail Extensions ）に従ってファクシミリ送信していた。
【０００３】
また、このようなインターネットを介した通信がエラー終了すると、その旨を表示していた。
【０００４】
【発明が解決しようとする課題】
このため、インターネットを介した通信が選択され、途中でエラー終了した場合、送信しようとしていたファクシミリ情報は送信されないままとなってしまうという欠点があった。
【０００５】
また、ユーザが送信されていないことに気づき、再び、このファクシミリ情報が格納されているメモリボックスを指定し、インターネットを介した通信を選択するのは非常に手間であった。
【０００６】
また、上述のようなファクシミリ装置において、インターネットを介した通信か、公衆通信網を利用した通信かは、オペレータの操作によって選択されるようになっている。
【０００７】
ここで、インターネットを介したファクシミリ通信は公衆通信網を利用したファクシミリ通信と比べて通信費は安いが、機密性、確実性、即時性の点で一定の不具合を有するものである。
【０００８】
例えば、ダイレクト送信が選択され、インターネットを介したファクシミリ通信を行うと、読取速度より通信速度が速くなり、読取速度に制限され、インターネット通信の長所を活かせないという欠点があった。
【０００９】
また、送信する情報量がわるいのに、インターネットを介したファクシミリ通信を行うと、通信費の節約が少ないわりに、即時性がなく、ユーザメリットがとても少ないという欠点があった。
【００１０】
そこで本発明は、インターネットを介した通信と公衆通信網を使用した通信とを有効に運用して効率の良い通信を行うことができるデータ通信装置を提供することを目的とする。
【００１１】
【課題を解決するための手段】
本発明は、インターネット標準プロトコルを実行するプロトコル実行手段と、公衆通信網を使用して情報を通信する通信手段とを有するデータ通信装置において、各宛先に対応してインターネットの宛先、および公衆通信網を使用した宛先を登録する登録手段と、通信が選択された場合に、はじめにプロトコル実行手段によってインターネットを介した通信を試行し、通信が成立しない時は、再度インターネットを介した通信を行い、それでも通信が成立しない時は、通信手段により公衆通信網を使用した通信を試行する制御手段とを有し、インターネットを介した通信を実行した後、この通信が成立せずに、再びインターネットを介した通信を開始するまでの時間は、公衆通信網を使用した通信の再ダイヤル間隔より長くすることを特徴とするデータ通信装置である。
【００４１】
【発明の実施の形態および実施例】
図１は、本発明の第１〜第３実施例によるファクシミリ装置の構成を示すブロック図である。
【００４２】
ＮＣＵ（網制御装置）２は、電話網（公衆通信網）をデータ通信等に使用するために、その回線の端末に接続し、電話交換網の接続制御を行なったり、データ通信路への切換えを行なったり、ループの保持を行なうものである。また、ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続するものである。なお、通常状態では、電話回線２ａは、電話機４側に接続されている。
【００４３】
ハイブリッド回路６は、送信系の信号と受信系の信号とを分離し、加算回路１２からの送信信号をＮＣＵ２経由で、電話回線２ａに送出し、相手側からの信号をＮＣＵ２経由で受取り、信号線６ａ経由で、変復調器８に送るものである。
【００４４】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２０ｃにより、各伝送モードが指定される。この変復調器８は、信号線２０ｂに出力されている信号を入力し、変調データを信号線８ａに出力し、信号線６ａに出力されている受信信号を入力し、復調データを信号線８ｂに出力する。
【００４５】
ＡＮＳａｍ送出回路１０は、ＡＮＳａｍ信号を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しない。
【００４６】
加算回路１２は、信号線８ａの情報と信号線１０ａの情報とを入力し、加算した結果を信号線１２ａに出力するものである。読取回路１４は、原稿の画像を読取り、この読取り画像データを信号線１４ａに出力するものである。記録回路１６は、信号線２０ｅに出力されている情報を順次１ライン毎に記録するものである。
【００４７】
メモリ回路１８は、読取りデータの生情報、あるいは、符号化した情報を格納したり、また、受信情報、あるいは、復号化した情報等を格納するために使用する。
【００４８】
発呼回路２２は、信号線２０ｇに発呼命令パルスが発生した時に信号線２０ｆに出力されている電話番号情報を入力し、信号線２ｂに出力する。
【００４９】
操作部２４は、ワンタッチダイヤル、短縮ダイヤル、テンキー、＊・＃キー、セットキー、＠キー、・キー、スタートキー、回路２６への登録キー、その他のファンクションキーを有しており、押下されたキー情報が信号線２４ａに出力される。
【００５０】
発呼宛先登録回路２６は、ワンタッチダイヤルや短縮ダイヤルの各宛先に対応して、インターネットを使用した宛先および公衆通信網を使用した宛先を信号線２６ｂを介して登録する回路である。
【００５１】
パーソナルコンピュータ（ＰＣ）２８、３０、３２、３４、３６は、信号線２０ｈを介してＬＡＮに接続されている。また、信号線２０ｈはインターネットの網に接続される。
【００５２】
制御回路２０は、本発明の第１実施例において、通信が選択された場合、所定回数（３回）は、インターネットを介した通信を試行し、所定回数を超えても通信が成立しない時には、公衆通信網を使用した通信を最大所定回数（３回）試行する制御を行うものである。また、インターネットを介した通信を実行後、受信確認が５分以内に得られない時には、再びインターネットを介した通信を開始し、公衆通信網を使用して相手先がビジーであったり、通信中にエラーとなった場合は、２分後に同一宛先へ公衆通信網を使用して発呼する制御を行うものである。さらに、以上の制御で通信が成立した時は、この通信が終了と判断する。
【００５３】
図２〜図５は、本発明の第１実施例における制御回路２０の動作を示すフローチャートである。
【００５４】
図２において、まずＳ０で動作を開始し、Ｓ２では信号線２０ａに信号レベル「０」の信号を出力し、ＣＭＬをオフする。Ｓ４では信号線２０ｄに信号レベル「０」の信号を出力し、ＡＮＳａｍ信号を送信しない状態とする。
【００５５】
Ｓ６では信号線２４ａの情報を入力し、ワンタッチダイヤル、あるいは、短縮ダイヤルの登録が選択されたか否かを判断し、選択されるとＳ８に進み、選択されていないとＳ１０に進む。
【００５６】
Ｓ８では、信号線２６ａを介して発呼宛先登録回路２６に、ワンタッチダイヤル、あるいは、短縮ダイヤルに対応して、公衆通信網の電話番号と、インターネットの相手先のＩＰアドレスを登録する。この後、Ｓ１０に進む。
【００５７】
Ｓ１０では、ワンタッチダイヤル、あるいは、短縮ダイヤルが押下されたか否かを判断し、押下されていないとＳ１２に進み、その他の処理をする。
【００５８】
また、押下されるとＳ１４に進み、インターネットを使用した通信数をカウントするカウンタＫに１をセットする。
【００５９】
Ｓ１６では、インターネット網を使用し、選択されたワンタッチダイヤル、あるいは、短縮ダイヤルに対応して登録されているＩＰアドレスに接続する。そして、Ｓ１８では、ＴＣＰ／ＩＰプロトコルを実行する。ここで、送信する情報はＴＩＦＦフォーマットで符号化し、ＭＩＭＥで送信する。
【００６０】
Ｓ２０では、インターネットでの通信終了後、相手側から受信確認ができないときに、再びインターネットでの通信を試みる時間として５分をタイマにセットする。
【００６１】
Ｓ２２では、今接続した宛先のＰＯＰ（Post Office Protocol）サーバより受信確認の情報を受信したか否かを判断し、肯定応答であると、インターネット通信が成立したので、Ｓ２に進み、否定応答であるとＳ２４に進む。
【００６２】
Ｓ２４では、タイマがタイムオーバーしたか否かを判断し、タイムオーバーするとＳ２６に進み、タイムオーバーしていないとＳ２２に進む。
【００６３】
Ｓ２６では、カウンタＫが３以上になったか否かを判断し、３以上でないと、Ｓ２８に進み、カウンタＫの値を１つインクリメントし、再び、インターネット通信を試行し、３以上であると、次は公衆通信網を使用した電話番号へ発呼するために、Ｓ３０に進む。
【００６４】
Ｓ３０では、公衆通信網を使用した通信数をカウントするカウンタＬに１をセットする。Ｓ３２では、発呼回路２２を使用し、選択されたワンタッチダイヤル、あるいは、短縮ダイヤルに対応し、登録されている公衆通信網の電話番号に発呼する。
【００６５】
Ｓ３４では、信号線２４ａに信号レベル「１」の信号を出力し、ＣＭＬをオンする。Ｓ３６で前手順を行い、Ｓ３８では、相手側からビジートーンを検出したか否かを判断し、ビジートーンを検出すると、通信を中断するためにＳ５０に進み、ビジートーンを検出していないとＳ４０に進む。
【００６６】
Ｓ４０では、前手順が終了したか否かを判断し、前手順が終了していないとＳ３６に進み、前手順が終了するとＳ４２に進む。
【００６７】
Ｓ４２では、画信号の送信を行う。ここでは、複数ページの通信を実行するための手順も含まれている。Ｓ４４では、画信号の送信、並びに手順で通信エラーが発生したか否かを判断し、通信エラーが発生すると、通信を中断するためにＳ５５に進み、通信エラーが発生していないとＳ４６に進む。
【００６８】
Ｓ４６では、画信号の送信が終了したか否かを判断し、終了していないとＳ４２に進む。また、終了するとＳ４８に進み、後手順を実行し、Ｓ５０で、信号線２０ａに信号レベル「０」の信号を出力してＣＭＬをオフする。
【００６９】
Ｓ５２では、カウンタＥは３以上であるか否かを判断し、３以上であると、通信をあきらめるのでＳ２に進み、３以上でないとＳ５４に進み、カウンタＥの値を１つインクリメントする。そして、Ｓ５６では、２分間ウェイトして、Ｓ３２に進む。
【００７０】
次に、本発明の第２実施例について説明する。この第２実施例は、上述した第１実施例において、インターネットを介した通信を実行後、この通信が成立せずに再びインターネットを介した通信を開始するまでの時間を、１通信の中で徐々に長くするようにしたものである。
【００７１】
図６は、この第２実施例の動作のうち、上記第１実施例（図２〜図５）と異なる部分を示すフローチャートである。
【００７２】
図６において、Ｓ６０は上記Ｓ１８を表している。そして、Ｓ６２では、カウンタＫの値に３分をかけた値をタイマに格納する。そして、Ｓ６４で上記Ｓ２２に進む。
【００７３】
次に、本発明の第３実施例について説明する。この第３実施例は、上述した第１実施例において、インターネットを介した通信を実行後、この通信が成立しない場合に通信不可の情報を受信すると、ここから、所定時間（例えば、すぐに）経過後に所定回数（合計で３回）に限り、インターネットを介した通信を試行するものである。
【００７４】
図７は、この第３実施例の動作のうち、上記第１実施例（図２〜図５）と異なる部分を示すフローチャートである。
【００７５】
図７において、Ｓ７０は上記Ｓ２４のＮｏを表している。そして、Ｓ７２では、今接続したメールの通信が不可であった旨を検出したか否かを判断し、検出するとＳ７４（Ｓ２６）に進み、検出していないとＳ７６（Ｓ２２）に進む。
【００７６】
また、以上の第１実施例から第３実施例においては、複数のＪＯＢを並行処理することは言及していないが、上述したインターネットで通信終了の所定時間のウェイトや、公衆通信網の再ダイヤルまでのウェイトの時間等に、他のＪＯＢを実行してもよい。
【００７７】
次に、本発明の第４実施例について説明する。
【００７８】
図８は、本発明の第４〜第６実施例によるファクシミリ装置の構成を示すブロック図である。
【００７９】
ＮＣＵ（網制御装置）１０２は、電話網（公衆通信網）をデータ通信等に使用するために、その回線の端末に接続し、電話交換網の接続制御を行なったり、データ通信路への切換えを行なったり、ループの保持を行なうものである。また、ＮＣＵ１０２は、制御回路１２０からの信号レベル（信号線１２０ａ）が「０」であれば、電話回線１０２ａを電話機１０４側に接続し、信号レベルが「１」であれば、電話回線１０２ａをファクシミリ装置側に接続するものである。なお、通常状態では、電話回線１０２ａは、電話機１０４側に接続されている。
【００８０】
ハイブリッド回路１０６は、送信系の信号と受信系の信号とを分離し、加算回路１１２からの送信信号をＮＣＵ１０２経由で、電話回線１０２ａに送出し、相手側からの信号をＮＣＵ１０２経由で受取り、信号線１０６ａ経由で、変復調器１０８に送るものである。
【００８１】
変復調器１０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線１２０ｃにより、各伝送モードが指定される。この変復調器１０８は、信号線１２０ｂに出力されている信号を入力し、変調データを信号線１０８ａに出力し、信号線１０６ａに出力されている受信信号を入力し、復調データを信号線１０８ｂに出力する。
【００８２】
ＡＮＳａｍ送出回路１１０は、ＡＮＳａｍ信号を送出する回路であり、信号線１２０ｄに信号レベル「１」の信号が出力されている時には、信号線１１０ａにＡＮＳａｍ信号を送出し、信号線１２０ｄに信号レベル「０」の信号が出力されている時には、信号線１１０ａに何も信号を出力しない。
【００８３】
加算回路１１２は、信号線１０８ａの情報と信号線１１０ａの情報とを入力し、加算した結果を信号線１１２ａに出力するものである。読取回路１１４は、原稿の画像を読取り、この読取り画像データを信号線１１４ａに出力するものである。記録回路１１６は、信号線１２０ｅに出力されている情報を順次１ライン毎に記録するものである。
【００８４】
メモリ回路１１８は、読取りデータの生情報、あるいは、符号化した情報を格納したり、また、受信情報、あるいは、復号化した情報等を格納するために使用する。
【００８５】
発呼回路１２２は、信号線１２０ｇに発呼命令パルスが発生すると、信号線１２０ｆに出力されている電話番号情報を入力し、信号線１０２ｂに選択信号を出力する。
【００８６】
発呼宛先登録回路１２４は、ワンタッチダイヤル、短縮ダイヤルの発呼先に対応し、ＰＳＴＮを使用したＧ３通信を行う宛先（電話番号）とインターネットを使用したデータ通信を行う宛先（ＩＰアドレス）を信号線１２４ａを介して登録する回路である。
【００８７】
ダイレクト送信選択ボタン１２６は、ダイレクト送信を選択する時に使用する選択ボタンであり、このボタン１２６が押下されると、信号線１２６ａに押下パルスが発生する。
【００８８】
ダイレクト送信表示回路１２８は、信号線１２０ｈにクリアパルスが発生すると消灯し、以後、信号線１２６ａに押下パルスが発生する毎に、点灯→消灯→点灯を繰り返す。ダイレクト送信表示回路１２８は、点灯している時には、信号線１２８ａに信号レベル「１」の信号を出力し、消灯している時には、信号線１２８ａに信号レベル「０」の信号を出力する。
【００８９】
読取モード選択ボタン１３０は、読取モードを選択するためのボタンであり、このボタン１３０が押下されると、信号線１３０ａに押下パルスが発生する。
【００９０】
読取モード表示回路１３２は、信号線１２０ｉにクリアパルスが発生すると、「文字モード」と表示し、以後、信号線１３０ａに押下パルスが発生する毎に「ハーフトーンモード」→「文字モード」→「ハーフトーントーン」と表示する。読取モード表示回路１３２は、「文字モード」と表示している時には、信号線１３２ａに信号レベル「０」の信号を出力し、「ハーフトーンモード」と表示している時には、信号線１３２ａに信号レベル「１」の信号を出力する。
【００９１】
操作部１３４は、ワンタッチダイヤル、短縮ダイヤル、テンキー、＊・＃キー、＠キー、・キー、セットキー、スタートキー、回路１２４への登録キー、その他ファンクションキー等を有しており、押下されたキー情報が信号線１３４ａに出力される。
【００９２】
信号線１５０ａはＬＡＮであり、このＬＡＮにはＰＣ１４０、ＰＣ１４２、ＰＣ１４４、ＰＣ１４６、ＰＣ１４８が接続され、インターネット１５０のプロバイダーに接続される。また、前述した電話回線である信号線１０２ａは、ＰＳＴＮ（公衆電話網）１５２に接続されている。
【００９３】
制御回路１２０は、本発明の第４実施例において、通信が選択された時に、ダイレクト送信は公衆通信網を介した通信とし、メモリ送信はインターネットを介した通信とする制御を行うものである。
【００９４】
図９、図１０は、本発明の第４実施例における制御回路１２０の動作を示すフローチャートである。
【００９５】
まず、図９において、Ｓ１００で動作を開始し、Ｓ１０２では、信号線１２０ｈにクリアパルスを発生し、ダイレクト送信表示回路１２８を消灯する。
【００９６】
Ｓ１０４では、信号線２０ｉにクリアパルスを発生し、読取モード表示回路１３２を文字モードと表示する。Ｓ１０６では、信号線１２４ａに信号レベル「０」の信号を出力し、ＣＭＬをオフする。
【００９７】
Ｓ１０８では、信号線１２０ｄに信号レベル「０」の信号を出力し、ＡＮＳａｍ信号を送信しない状態とする。
【００９８】
Ｓ１１０では、信号線１３４ａの情報を入力し、アドレスの登録が選択された否かを判断し、選択されるとＳ１１２に進み、信号線１２４ａを介して、発呼先に対応し、ＰＳＴＮを使用し、Ｇ３通信電話番号、およびインターネットを使用し、データ通信するＩＰアドレスを発呼先に対応し、アドレス登録回路に登録し、選択されていないとＳ１１４に進む。
【００９９】
Ｓ１１４では、発呼が選択された否かを判断し、発呼が選択されるとＳ１１８に進み、発呼が選択されていないとＳ１１６に進み、その他の処理をする。
【０１００】
Ｓ１１８では、信号線１２８ａの情報を入力し、ダイレクト送信が選択されたか否かを判断し、ダイレクト送信がが選択されるとＳ１２０に進み、メモリ送信が選択されるとＳ１３０に進む。
【０１０１】
Ｓ１２０では、発呼回路１２２により、指定された宛先へＰＳＴＮ回線を使用して発呼する。
【０１０２】
Ｓ１２２では、信号線１２０ａに信号レベル「１」の信号を出力してＣＭＬをオンする。
【０１０３】
Ｓ１２４では、Ｖ．８あるいはＶ．２１の手順を行い、Ｓ１２６では、Ｖ．２７ｔｅｎ、Ｖ．２９、Ｖ．１７あるいはＶ．３４の画伝送を行う。Ｓ１２８では、Ｖ．３４、あるいはＶ．２１の手順を行う。
【０１０４】
Ｓ１３０では、送信情報を読取り、符号化してメモリ回路１１８に格納する。ここで、同時にこの通信のためのメモリの使用量をカウントする。
【０１０５】
Ｓ１３２では、送信情報の読取りが終了したか否かを判断し、終了していないとＳ１３０に進み、終了するとＳ１３４に進む。Ｓ１３４では、指定された宛先へインターネットを介して接続する。
【０１０６】
Ｓ１３６では、ＴＣＰ−ＩＰプロトコルを実行する。Ｓ１３８では、ＳＭＴＰにより、ＴＩＦＦフォーマットにしたイメージデータをＭＩＭＦで送信する。
【０１０７】
次に、本発明の第５実施例について説明する。この第５実施例は、上記第４実施例において、メモリ送信が選択された場合に、送信する情報量が少ない時は公衆通信網を介した通信とし、送信する情報量が多い時は、インターネットを介した通信とする。
【０１０８】
図１１は、この第５実施例の動作のうち上記第４実施例（図９、図１０）と異なる部分を示すフローチャートである。
【０１０９】
図１１において、Ｓ１４０は、Ｓ１３２のＹＥＳを表している。そして、Ｓ１４２では、Ｓ１３０にてメモリに格納した今回の通信の情報量が４Ｍビット以上であるか否かを判断し、４Ｍビット以上であるとＳ１４４（Ｓ１３４）に進み、４Ｍビット未満であるとＳ１４６（Ｓ１２０）に進む。
【０１１０】
次に、本発明の第６実施例について説明する。上記第４実施例において、メモリ送信が選択された場合、その時の読取モードとしてハーフトーンモードが選択された時は、インターネットを介した通信とし、文字モードが選択された時は、公衆通信網を介した通信とする。
【０１１１】
図１２は、この第６実施例の動作のうち上記第４実施例（図９、図１０）と異なる部分を示すフローチャートである。
【０１１２】
図１１において、Ｓ１５０はＳ１３２のＹＥＳを表している。そして、Ｓ１５２では、メモリ格納した時の読取りモードがハーフトーンモードであるか否かを判断し、ハーフトーンモードであるとＳ１５４（Ｓ１３４）に進み、文字モードであるとＳ１５６（Ｓ１２０）に進む。
【０１１３】
次に、本発明の第７実施例について説明する。
【０１１４】
図１３は、本発明の第７実施例によるファクシミリ装置の構成を示すブロック図である。
【０１１５】
ＮＣＵ（網制御装置）２０２は、電話網をデータ通信等に使用するために、その回線の端末に接続し、電話交換網の接続制御を行なったり、データ通信路への切換えを行なったり、ループの保持を行なうものである。また、ＮＣＵ２０２は、制御回路２２０からの信号レベル（信号線２２０ａ）が「０」であれば、電話回線２０２ａを電話機２０４側に接続し、信号レベルが「１」であれば、電話回線２０２ａをファクシミリ装置側に接続するものである。なお、通常状態では、電話回線２０２ａは、電話機２０４側に接続されている。
【０１１６】
ハイブリッド回路２０６は、送信系の信号と受信系の信号とを分離し、加算回路２１２からの送信信号をＮＣＵ２０２経由で、電話回線２０２ａに送出し、相手側からの信号をＮＣＵ２０２経由で受取り、信号線２０６ａ経由で、変復調器２０８に送るものである。
【０１１７】
変復調器２０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線２２０ｃにより、各伝送モードが指定される。この変復調器２０８は、信号線２２０ｂに出力されている信号を入力し、変調データを信号線２０８ａに出力し、信号線２０６ａに出力されている受信信号を入力し、復調データを信号線２０８ｂに出力する。
【０１１８】
ＡＮＳａｍ送出回路２１０は、ＡＮＳａｍ信号を送出する回路であり、信号線２２０ｄに信号レベル「１」の信号が出力されている時には、信号線２１０ａにＡＮＳａｍ信号を送出し、信号線２２０ｄに信号レベル「０」の信号が出力されている時には、信号線２１０ａに何も信号を出力しない。
【０１１９】
加算回路２１２は、信号線２０８ａの情報と信号線２１０ａの情報とを入力し、加算した結果を信号線２１２ａに出力するものである。読取回路２１４は、原稿の画像を読取り、この読取り画像データを信号線２１４ａに出力するものである。記録回路２１６は、信号線２２０ｅに出力されている情報を順次１ライン毎に記録するものである。
【０１２０】
メモリ回路２１８は、読取りデータの生情報、あるいは、符号化した情報を格納したり、また、受信情報、あるいは、復号化した情報等を格納するために使用する。
【０１２１】
発呼回路２２２は、信号線２２０ｇに発呼命令パルスが発生すると、信号線２２０ｆに出力されている電話番号情報を入力し、信号線２０２ｂに選択信号を出力する。
【０１２２】
操作部２２４は、ワンタッチダイヤル、短縮ダイヤル、テンキー、＊キー、・キー、＃キー、・キー、＠キー、回路２２６、２２８、２３０への登録キー、セットキー、スタートキー、その他ファンクションキー等を有しており、押下されたキー情報が信号線２２４ａに出力される。
【０１２３】
登録回路２２６は、発呼宛先を登録する回路であり、ワンタッチダイヤル、短縮ダイヤルの各宛先に対応して、インターネットを使用して接続するアドレス、および、公衆通信網を使用した電話番号を信号線２２６ｂを介して登録する。
【０１２４】
登録回路２２８は、インターネットを介して通信を挑戦する所定回数Ａのデフォルト値を信号線２２８ａを介して登録する回路である。
【０１２５】
登録回路２３０は、インターネットを介して通信を所定回数Ａ試行しても接続できない場合に、引き続いて公衆通信網を介して通信を所定回数Ｂだけ試行するために、この所定回数Ｂのデフォルト値を信号線２３０ａを介して登録する回路である。
【０１２６】
ＰＣ２４０、ＰＣ２４２、ＰＣ２４４、ＰＣ２４６は、信号線２２０ｈを介してＬＡＮに接続され、さらに、インターネット２４８に接続される。また、電話回線である信号線２０２ａは、公衆通信網２５０に接続されている。
【０１２７】
制御回路２２０は、本発明の第７実施例において、通信が選択された時に、所定回数Ａはインターネットを介した通信を試行し、所定回数Ａをトライしても通信が成立しない時に、公衆通信網を使用した通信を最大所定回数Ｂ試行する制御を行うものであり、さらに、これらの所定回数Ａ、Ｂを条件により変える制御を行うものである。
【０１２８】
例えば、ファクシミリ送信が選択された時、通信する情報量を見積り、所定回数Ａはこの情報量が１０Ｍｂｉｔ以上であれば回路２２８に登録されている回数に対してプラス２して、５Ｍｂｉｔ以上であればプラス１して、０．５Ｍｂｉｔ以下であればマイナス２して、１Ｍｂｉｔ以下であればマイナス１する。
【０１２９】
また、所定回数Ｂは、回路２３０に登録されている回数に対して情報量が０．５Ｍｂｉｔ以下であればプラス２して、１Ｍｂｉｔ以下であればプラス１して、１０Ｍｂｉｔ以上であればマイナス２して、５Ｍｂｉｔ以上であればマイナス１にする。
【０１３０】
図１４〜図１９は、本発明の第７実施例における制御回路２２０の動作を示すフローチャートである。
【０１３１】
まず、Ｓ２０２では、信号線２２０ａに信号レベル「０」の信号を出力してＣＭＬをオフする。Ｓ２０４では、信号線２２０ｄに信号レベル「０」の信号を出力してＡＮＳａｍ信号を送信しない状態とする。
【０１３２】
Ｓ２０６では、信号線２２４ａの情報を入力し、ワンタッチダイヤル、あるいは、短縮ダイヤルの登録が選択されたか否かを判断し、選択されていないとＳ２１０に進み、選択されるとＳ２０８に進む。
【０１３３】
Ｓ２０８では、信号線２２６ａを介して、発呼宛先登録回路２２６にワンタッチダイヤル、あるいは、短縮ダイヤルに対応して、公衆通信網の電話番号とインターネットの相手先ＩＰアドレスを登録する。
【０１３４】
Ｓ２１０では、信号線２２４ａの情報を入力し、所定回数Ａの登録が選択されているか否かを判断し、選択されているとＳ２１２に進み、選択されていないとＳ２１４に進む。
【０１３５】
Ｓ２１２では、信号線２２８ａを介して、インターネットを介して通信を試行する回数のデフォルト値を例えば４と登録回路２２８に登録する。
【０１３６】
Ｓ２１４では、信号線２２４ａの情報を入力し、所定回数Ｂの登録が選択されているか否かを判断し、選択されているとＳ２１６に進み、選択されていないとＳ２１８に進む。
【０１３７】
Ｓ２１６では、信号線２３０ａを介してインターネットを介した通信不可の時、公衆通信網を介して通信を試行する回数のデフォルト値を例えば３と登録回路２３０に登録する。
【０１３８】
Ｓ２１８では、信号線２２４ａの情報を入力し、ワンタッチダイヤル、あるいは、短縮ダイヤルが押下されたか否かを判断し、肯定応答であるとＳ２２２に進み、否定応答であるとＳ２２０に進み、その他の処理をする。
【０１３９】
Ｓ２２２では、送信する情報をＫ＝８のＭＲに符号化し、メモリ回路２１８に格納する。同時に、符号化量をカウントしていく。
【０１４０】
Ｓ２２４では、全ページの読取りが終了したか否かを判断し、終了していないとＳ２２２に進み、終了するとＳ２２６に進む。
【０１４１】
Ｓ２２６では、信号線２２８ａの情報を入力し、登録回路２２８に格納されている情報を所定回数Ａに格納する。
【０１４２】
Ｓ２２８では、信号線２３０ａの情報を入力し、登録回路２３０に格納されている情報を所定回数Ｂに格納する。
【０１４３】
Ｓ２３０、Ｓ２３２、Ｓ２３４、Ｓ２３６では、送信情報の符号化量を判断し、０．５Ｍｂｉｔ以下であると、所定回数Ａの値をマイナス２（Ｓ２３８）し、所定回数Ｂの値を２（Ｓ２４０）し、０．５Ｍｂｉｔを超え１Ｍｂｉｔ以下であると、所定回数Ａの値をマイナス１（Ｓ２４２）し、所定回数Ｂの値をプラス１（Ｓ２４４）し、１０Ｍｂｉｔ以上であると、所定回数Ａの値をプラス２（Ｓ２４６）し、所定回数Ｂの値をマイナス２（Ｓ２４８）し、５Ｍｂｉｔ以上、１０Ｍｂｉｔ未満であると、所定回数Ａの値をプラス１（Ｓ２５０）し、所定回数Ｂの値をマイナス１（Ｓ２５２）し、それ以外であると、所定回数Ａ、Ｂの値は変えない。ここでマイナスした結果１未満になれば、１をセットしておく。
【０１４４】
Ｓ２５４では、インターネットへの発呼の回数をカウントするカウンタに１をセットする。Ｓ２５６では、インターネット網を使用し、選択されたワンタッチダイヤル、あるいは、短縮ダイヤルに対応し、登録されているＩＰアドレスに接続する。
【０１４５】
Ｓ２５８では、ＴＣＰ−ＩＰプロトコルを実行し、そして、送信情報はＴＩＦＦフォーマットで符号化し、ＭＩＭＥで送信する。Ｓ２６０では、タイマに３分をセットする。
【０１４６】
Ｓ２６２、Ｓ２６４では、タイマがタイムオーバーする以内に、今、接続した宛先のＰＯＰサーバより受信確認をもらったか否かを判断し、受信確認をもらうとＳ２０２に進み、通信が終了し、タイムオーバーするとＳ２６６に進む。
【０１４７】
Ｓ２６６では、カウンタの値は、所定回数Ａ以上であるか否かを判断し、否定応答であるとＳ２６８に進み、カウンタの値を１つインクリメントし、肯定応答であるとＳ２７０に進む。
【０１４８】
Ｓ２７０では、公衆通信網への発呼の回数をカウントするカウンタに１をセットする。Ｓ２７２では、発呼回路２２２を使用し、選択されたワンタッチダイヤル、あるいは、短縮ダイヤルに対応し、登録されている電話番号に発呼し、公衆通信網への接続を行う。
【０１４９】
Ｓ２７４では、信号線２２０ａに信号レベル「１」の信号を出力し、ＣＭＬをオンする。Ｓ２７６では前手順を行い、Ｓ２７８ではビジートーンを検出したか否かを判断し、ビジートーンを検出するとＳ２８８に進み、ビジートーンを検出していないとＳ２８０に進む。
【０１５０】
Ｓ２８０では、前手順が終了したか否かを判断し、終了するとＳ２８２に進み、終了していないとＳ２７６に進む。
【０１５１】
Ｓ２８２では画信号の送信と後手順を行い、Ｓ２８４では通信が終了したか否かを判断する。そして、終了していないとＳ２８２に進み、終了するとＳ２８６に進む。
【０１５２】
Ｓ２８６では、エラー終了であるか否かを判断し、正常終了であるとＳ２０２に進み、エラー終了であるとＳ２８８に進む。Ｓ２８８では、信号線２２０ａに信号レベル「０」の信号を出力し、ＣＭＬをオフする。
【０１５３】
Ｓ２９０では、カウンタの値が所定回数Ｂ以上になったか否かを判断し、所定回数Ｂ以上になるとＳ２９０に進み、所定回数Ｂ未満であるとＳ２９２に進み、カウンタの値を１つインクリメントし、Ｓ２９４にて２分間ウェイトする。
【０１５４】
Ｓ２９６では、通信結果レポートにインターネット、公衆通信網での通信に試行したが不可である旨を記録する。この後、Ｓ２０２に進む。
【０１５５】
次に、本発明の第８実施例について説明する。
【０１５６】
この第８実施例は、ユーザからの入力に応じて、急ぎの通信が選択されるとＰＳＴＮ網を介した通信を行い、リアルタイム性を確保するとともに、急ぎでない通信が選択されると、インターネット網を介した通信を行い、通信コストを大幅に下げることを可能とするものである。
【０１５７】
図２０は、本発明の第８〜第１１実施例によるファクシミリ装置の構成を示すブロック図である。
【０１５８】
ＮＣＵ（網制御装置）３０２は、電話網をデータ通信等に使用するために、その回線の端末に接続し、電話交換網の接続制御を行なったり、データ通信路への切換えを行なったり、ループの保持を行なうものである。また、ＮＣＵ３０２は、制御回路３２０からの信号レベル（信号線３２０ａ）が「０」であれば、電話回線３０２ａを電話機３０４側に接続し、信号レベルが「１」であれば、電話回線３０２ａをファクシミリ装置側に接続するものである。なお、通常状態では、電話回線３０２ａは、電話機４側に接続されている。
【０１５９】
ハイブリッド回路３０６は、送信系の信号と受信系の信号とを分離し、加算回路３１２からの送信信号をＮＣＵ３０２経由で、電話回線３０２ａに送出し、相手側からの信号をＮＣＵ３０２経由で受取り、信号線３０６ａ経由で、変復調器３０８に送るものである。
【０１６０】
変復調器３０８は、ＩＴＵ−Ｔ勧告Ｖ．８、Ｖ．２１、Ｖ．２７ｔｅｒ、Ｖ．２９、Ｖ．１７、Ｖ．３４に基づいた変調、および復調を行なうものであり、信号線３２０ｃにより、各伝送モードが指定される。この変復調器３０８は、信号線３２０ｂに出力されている信号を入力し、変調データを信号線３０８ａに出力し、信号線３０６ａに出力されている受信信号を入力し、復調データを信号線３０８ｂに出力する。
【０１６１】
ＡＮＳａｍ送出回路３１０は、ＡＮＳａｍ信号を送出する回路であり、信号線３２０ｄに信号レベル「１」の信号が出力されている時には、信号線３１０ａにＡＮＳａｍ信号を送出し、信号線３２０ｄに信号レベル「０」の信号が出力されている時には、信号線３１０ａに何も信号を出力しない。
【０１６２】
加算回路３１２は、信号線３０８ａの情報と信号線３１０ａの情報とを入力し、加算した結果を信号線３１２ａに出力するものである。読取回路３１４は、原稿の画像を読取り、この読取り画像データを信号線３１４ａに出力するものである。記録回路３１６は、信号線３２０ｅに出力されている情報を順次１ライン毎に記録するものである。
【０１６３】
メモリ回路３１８は、読取りデータの生情報、あるいは、符号化した情報を格納したり、また、受信情報、あるいは、復号化した情報等を格納するために使用する。
【０１６４】
発呼回路３２２は、通信線３２０ｇに発呼命令パルスが発生すると、信号線３２０ｆに出力されている電話番号情報を入力し、信号線３０２ｂに選択信号（具体的にはＤＴＭＦ信号）を送出する。
【０１６５】
操作部３２４は、ワンタッチダイヤル、短縮ダイヤル、テンキー、＊、＃、・、＠キー、登録回路３２６への登録キー、スタートキー、セットキー、その他ファンクションキー等を有し、押下されたキー情報を信号線３２４ａに出力するものである。
【０１６６】
宛先情報登録回路３２６は、宛先に対応した宛先情報登録回路であり、１つの宛先に対応してＰＳＴＮ網のみを介した宛先情報（具体的には電話番号）、およびインターネット網を介した宛先情報を信号線３２６ａを介して登録できる。
【０１６７】
緊急度選択ボタン３２８は、これから実行する通信の緊急度を選択するボタンであり、このボタン３２８が押下されると、信号線３２８ａに押下パルスが発生する。
【０１６８】
緊急度表示回路３３０は、通信の緊急度を表示する回路であり、信号線２０ｈにクリアパルスが発生すると、「ゆっくり」と表示し、以後、信号線３２８ａに押下パルスが発生する毎に、「急ぐ」→「ゆっくり」→「急ぐ」と表示する。ここで、表示回路３３０は「ゆっくり」と表示している時には、信号線３３０ａに信号レベル「０」の信号を出力し、「急ぐ」と表示している時には信号線３３０ａに信号レベル「１」の信号を出力する。
【０１６９】
パーソナルコンピュータ（ＰＣ）３３２、３３４、３３６、３３８、３４０は、ＬＡＮ（具体的には信号線３２０ｉ）により本ファクシミリ装置に接続され、また、インターネット３５８に直接接続されている。
【０１７０】
ＰＳＴＮ３５４は、信号線３０２ａを介して本ファクシミリ装置と接続され、信号線３５３ｂを介してＦＡＸＤ３５３に接続され、信号線３４２ａを介してサービスプロバイダＡ３４２に接続され、信号線３４４ａを介してＦＡＸサービスプロバイダＡ３４４に接続され、信号線３５４ａを介してＰＳＴＮ３５６と接続される。
【０１７１】
ＰＳＴＮ３５６は、信号線３５０ａを介してＦＡＸＢ３５０と接続され、信号線３５２ａを介してＦＡＸＣ３５２と接続され、信号線３４６ａを介してサービスプロバイダＢ３４６と接続され、信号線３４８ａを介してＦＡＸサービスプロバイダＣ３４８に接続される。
【０１７２】
インターネット３５８は、信号線３４２ｂを介してサービスプロバイダＡ３４２に接続され、信号線３４４ｂを介してＦＡＸサービスプロバイダＡ３４２に接続され、信号線３４６ｂを介してサービスプロバイダＢ３４６に接続され、信号線３４８ｂを介してＦＡＸサービスプロバイダＣ３４８に接続され、信号線３２０ｉを介して本ファクシミリ装置に接続され、信号線３５３ａを介してＦＡＸＤ３５３に接続される。
【０１７３】
制御回路３２０は、本発明の第８実施例において、通信が終了するまでの時間に対しての要求を入力することにより、通信が終了するまでの時間として短い、すなわち急ぎの通信が要求されると、ＰＳＴＮ網のみを使用したファクシミリ通信を実行し、通信が終了するまでの時間として長い、すなわち急ぎの通信でないと要求されると、インターネットを介したファクシミリ通信を実行する制御を行うものである。
【０１７４】
具体的には、登録回路３２６を用いて、通信宛先に対応し、急ぎの通信で使用する宛先（ＰＳＴＮのみの電話番号）と、急ぎでない通信で使用する宛先（ダイヤルアップするＰＳＴＮの電話番号、相手側のサービスプロバイダあるいは相手先のＩＰアドレス）を登録し、急ぎの通信が要求されているとＰＳＴＮ網のみを使用したファクシミリ通信を実行し、急ぎの通信が要求されていないとダイヤルアップ接続により、サービスプロバイダ経由でＥメール形式のファクシミリ通信を実行する。
【０１７５】
図２１〜図２３は、この第８実施例における制御回路３２０の制御の流れを示すフローチャートである。
【０１７６】
図２１において、Ｓ３００で動作を開始し、Ｓ３０２では信号線３２６ａを介して登録回路３２６の情報をすべてクリアする。
【０１７７】
Ｓ３０４では、信号線３２０ｂにクリアパルスを発生し、通信の緊急度表示回路３３０に、通信の緊急度として「ゆっくり」と表示する。Ｓ３０６では、信号線３２０ａに信号レベル「０」の信号を出力し、ＣＭＬをオフする。Ｓ３０８では、信号線３２０ｄに信号レベル「０」の信号を出力し、ＡＮＳａｍ信号を送信しない。
【０１７８】
Ｓ３１０では信号線３２４ａの情報を入力し、回路３２６への登録が選択されたか否かを判断し、登録が選択されるとＳ３１２に進み、登録が選択されていないとＳ３１４に進む。
【０１７９】
Ｓ３１２では、信号線３２６ａを介して登録回路３２６に、宛先に対応して「急ぐ」の宛先としてＰＳＴＮの電話番号、「ゆっくり」の宛先としてダイヤルアップするＰＳＴＮの電話番号、相手先のＩＰアドレスを登録する。この後、Ｓ３１４に進む。
【０１８０】
Ｓ３１４では、信号線３２４ａの情報を入力し、発呼が選択されたか否かを判断し、発呼が選択されるとＳ３１８に進み、発呼が選択されていないとＳ３１６に進み、その他の処理をする。
【０１８１】
Ｓ３１８では、信号線３３０ａの情報を入力し、通信の緊急度をチェックし「急ぎ」であるとＳ３２０に進み、「ゆっくり」であるとＳ３３０に進む。
【０１８２】
Ｓ３２０では、発呼回路３２２を使用して登録回路３２６に登録されている急ぎのＰＳＴＮの電話番号に発呼する。
【０１８３】
Ｓ３２２では、信号線３２０ａに信号レベル「１」の信号を出力し、ＣＭＬをオンする。Ｓ３２４では、Ｖ．２１、あるいはＶ．８、あるいはＶ．３４による前手順を行う。
【０１８４】
Ｓ３２６では、Ｖ．２７ｔｅｒ、あるいはＶ．２９、あるいはＶ．１７、あるいはＶ．３４による画信号の送信を行い、Ｓ３２８では、Ｖ．２１、あるいはＶ．８、あるいはＶ．２３による後手順を行う。この後、Ｓ３０６に進む。
【０１８５】
また、Ｓ３３０では、発呼回路３２２を使用して登録回路３２６に登録されているゆっくりのサービスプロバイダの電話番号にＰＳＴＮを使用して発呼する。Ｓ３３２では、信号線３２０ａに信号レベル「１」の信号を出力し、ＣＭＬをオンする。
【０１８６】
Ｓ３３４では、ＰＰＰ（Point to Point Protocol ）プロトコルを実行し、Ｓ３３６では、ファクシミリ情報はＭＨ符号化して、ＳＭＴＰ（Simple Mail Transfer Protocol ）によるアプリケーションをＴＣＰ／ＩＰプロトコルで実行する。ここで、ＩＰとしては登録回路３２６に登録されている相手側のＩＰアドレスを指定する。この後、Ｓ３０６に進む。
【０１８７】
次に本発明の第９実施例について説明する。
【０１８８】
この第９実施例では、急ぎの通信が要求されているとＰＳＴＮ網のみを使用したファクシミリ通信を実行し、急ぎの通信が要求されていないとファクシミリサービスプロバイダに接続し、ファクシミリ通信を実行する。
【０１８９】
図２４は、この第９実施例の動作のうち上記第８実施例（図２１〜図２３）と異なる部分を示すフローチャートである。
【０１９０】
図２４において、Ｓ３４０はＳ３１０のＹＥＳを表している。そして、Ｓ３４２は、信号線３２６ａを介して登録回路３２６に宛先に対応し、「急ぐ」の宛先としてＰＳＴＮの電話番号、「ゆっくり」の宛先としてＰＳＴＮにて接続するＦＡＸサービスプロバイダの電話番号、および送信相手先を表すユニーク情報を登録する。この後、Ｓ３４４ではＳ３１４に進む。
【０１９１】
また、Ｓ３４６ではＳ３１８のゆっくりを表している。そして、Ｓ３４８では、発呼回路３２２を使用して登録回路３２６に登録されている、ゆっくりの宛先のＰＳＴＮにて接続するＦＡＸサービスプロバイダの電話番号にＰＳＴＮを使用して発呼する。
【０１９２】
次にＳ３５０では信号線３２０ａに信号レベル「１」の信号を出力し、ＣＭＬをオンする。
【０１９３】
Ｓ３５２では、Ｖ．２１、あるいはＶ．８、あるいはＶ．３４による前手順を行う。ここで、登録回路３２６に登録されている、ゆっくりの宛先に対応した送信相手先を表すユニーク情報を送信する。この後、Ｓ３５４ではＳ３２６に進む。
【０１９４】
次に本発明の第１０実施例について説明する。
【０１９５】
この第１０実施例では、急ぎの通信が要求されていると、ＰＳＴＮ網のみを使用したファクシミリ通信を実行し、急ぎの通信が要求されていないとＬＡＮ経由でＥメール形式のファクシミリ通信を実行する。
【０１９６】
図２５は、この第１０実施例の動作のうち上記第８実施例（図２１〜図２３）と異なる部分を示すフローチャートである。
【０１９７】
図２５において、Ｓ３６０はＳ３１０のＹＥＳを表している。そしてＳ３６２では、信号線３２６ａを介して登録回路３２６に、宛先に対応して「急ぐ」の宛先としてＰＳＴＮの電話番号、「ゆっくり」の宛先として相手先のＩＰアドレスを登録する。そして、Ｓ３６４ではＳ３１４に進む。
【０１９８】
また、Ｓ３６６はＳ３１８のゆっくりを表しており、ここからＳ３６８でＳ３３６に直接進む。すなわち、ここではＳ３３０〜Ｓ３３４の動作は行わない。
【０１９９】
次に本発明の第１１実施例について説明する。
【０２００】
この第１１実施例では、ユーザから急ぎの通信が要求されると、ＰＳＴＮ網のみを使用した宛先の入力をユーザに指定し、ユーザからいそぎでない通信が要求されると、インターネット網を介した宛先の入力をユーザに指定するものである。この場合は、例えばテンキー、＠、・キーによる発呼を考える。
【０２０１】
図２６、図２７は、この第１１実施例の動作のうち上記第８実施例（図２１〜図２３）と異なる部分を示すフローチャートである。
【０２０２】
図２６において、Ｓ３７０はＳ３１８の急ぎを表している。そしてＳ３７２では、図示しない表示部にＰＳＴＮを使用する送信宛先の電話番号を入力して下さいと表示する。
【０２０３】
そして、Ｓ３７４では、信号線３２４ａの情報を入力し、ＰＳＴＮを使用する送信宛先の電話番号を入力する。Ｓ３７６では、発呼回路３２２を使用し、指定された（入力した）ＰＳＴＮの電話番号に発呼する。この後、Ｓ３７８ではＳ３２２に進む。
【０２０４】
また、Ｓ３８０ではＳ３１８のゆっくりを表している。そしてＳ３８２では、図示しない表示部にサービスプロバイダの電話番号と送信宛先のＩＰアドレスを入力して下さいと表示する。
【０２０５】
そして、Ｓ３８４は信号線２４ａの情報を入力し、サービスプロバイダの電話番号と送信宛先のＩＰアドレスを入力する。Ｓ３８６では、発呼回路３２２を使用し、指定された（入力した）サービスプロバイダの電話番号にＰＳＴＮを使用して発呼する。
【０２０６】
Ｓ３８８では、信号線３２０ａに信号レベル「１」の信号を出力し、ＣＭＬをオンする。Ｓ３９０では、ＰＰＰプロトコルを実行し、Ｓ３９２では、ファクシミリ情報はＭＨ符号化してＳＭＴＰによるアプリケーションをＴＣＰ／ＩＰプロトコルで実行する。ここでＩＰとしては、入力した送信宛先のＩＰアドレスを指定する。この後、Ｓ３９４でＳ３０６に進む。
【０２０７】
なお、以上のような制御回路の動作は、制御回路内のＣＰＵが制御回路内のＲＯＭやＲＡＭ等に記憶したプログラムに基づいて行うが、本発明は、このようなプログラムをフロッピディスクやハードディスク、あるいは光ディスクや光磁気ディスク、あるいはＣＤ−ＲＯＭやメモリカード等の各種外部記憶媒体に格納し、これを専用の読取装置によって制御回路内に取り込み、これを制御回路内のＣＰＵで実行するようにしてもよい。
【０２０８】
また、以上の実施例では、スタンドアローンタイプのファクシミリ装置を例に説明したが、本発明はこれに限らず、例えばコピー機能や電子ファイル機能、さらにはデータ処理機能を通信機能と複合させた総合的なデータ処理システムにおけるデータ通信制御に適用し得るものである。また、読取回路や記録回路と分離された通信装置においても同様に適用し得るものである。
【０２１０】
【発明の効果】
本発明によれば、インターネットを介した通信の実行時に、受信終了の通知は、公衆通信網を使用した通信の再ダイヤル間隔より長いことが多いと予想されるが、これに対し、適切に対応することが可能になる。
【図面の簡単な説明】
【図１】本発明の第１〜第３実施例を示すブロック図である。
【図２】上記第１実施例における動作を示すフローチャートである。
【図３】上記第１実施例における動作を示すフローチャートである。
【図４】上記第１実施例における動作を示すフローチャートである。
【図５】上記第１実施例における動作を示すフローチャートである。
【図６】上記第２実施例における動作を示すフローチャートである。
【図７】上記第３実施例における動作を示すフローチャートである。
【図８】本発明の第４〜第６実施例を示すブロック図である。
【図９】上記第４実施例における動作を示すフローチャートである。
【図１０】上記第４実施例における動作を示すフローチャートである。
【図１１】上記第５実施例における動作を示すフローチャートである。
【図１２】上記第６実施例における動作を示すフローチャートである。
【図１３】本発明の第７実施例を示すブロック図である。
【図１４】上記第７実施例における動作を示すフローチャートである。
【図１５】上記第７実施例における動作を示すフローチャートである。
【図１６】上記第７実施例における動作を示すフローチャートである。
【図１７】上記第７実施例における動作を示すフローチャートである。
【図１８】上記第７実施例における動作を示すフローチャートである。
【図１９】上記第７実施例における動作を示すフローチャートである。
【図２０】本発明の第８〜第１１実施例を示すブロック図である。
【図２１】上記第８実施例における動作を示すフローチャートである。
【図２２】上記第８実施例における動作を示すフローチャートである。
【図２３】上記第８実施例における動作を示すフローチャートである。
【図２４】上記第９実施例における動作を示すフローチャートである。
【図２５】上記第１０実施例における動作を示すフローチャートである。
【図２６】上記第１１実施例における動作を示すフローチャートである。
【図２７】上記第１１実施例における動作を示すフローチャートである。
【符号の説明】
２、１０２、２０２、３０２…ＮＣＵ、
４、１０４、２０４、３０４…電話機、
６、１０６、２０６、３０６…ハイブリッド回路、
８、１０８、２０８、３０８…変復調器、
１０、１１０、２１０、３１０…ＡＮＳａｍ送出回路、
１２、１１２、２１２、３１２…加算回路、
１４、１１４、２１４、３１４…読取回路、
１６、１１６、２１６、３１６…記録回路、
１８、１１８、２１８、３１８…メモリ回路、
２０、１２０、２２０、３２０…制御回路、
２２、１２２、２２２、３２２…発呼回路、
２４、１３４、２２４、３２４…操作部、
２６、２２６…発呼宛先登録回路、
１２４…アドレス表示回路、
１２６…ダイレクト送信選択ボタン、
１２８…ダイレクト送信表示回路、
１３０…読取モード選択ボタン、
１３２…読取モード表示回路、
１４０〜１４８、２４０〜２４６、３３２〜３４０…ＰＣ、
１５０、２４８、３５８…インターネット、
１５２、１５４、１５６…ＰＳＴＮ、
２２８…所定回数Ａ登録回路、
２３０…所定回数Ｂ登録回路、
２５０…公衆網、
３２６…宛先情報登録回路、
３２８…緊急度選択ボタン、
３３０…緊急度表示回路、
３４２、３４６…サービスプロバイダ、
３４４、３４８…ＦＡＸサービスプロバイダ、
３５０、３５２、３５３…ＦＡＸ。
【図１】
0003667070.tif 000002
【図２】
0003667070.tif 000003
【図３】
0003667070.tif 000004
【図４】
0003667070.tif 000005
【図５】
0003667070.tif 000006
【図６】
0003667070.tif 000007
【図７】
0003667070.tif 000008
【図８】
0003667070.tif 000009
【図９】
0003667070.tif 000010
【図１０】
0003667070.tif 000011
【図１１】
0003667070.tif 000012
【図１２】
0003667070.tif 000013
【図１３】
0003667070.tif 000014
【図１４】
0003667070.tif 000015
【図１５】
0003667070.tif 000016
【図１６】
0003667070.tif 000017
【図１７】
0003667070.tif 000018
【図１８】
0003667070.tif 000019
【図１９】
0003667070.tif 000020
【図２０】
0003667070.tif 000021
【図２１】
0003667070.tif 000022
【図２２】
0003667070.tif 000023
【図２３】
0003667070.tif 000024
【図２４】
0003667070.tif 000025
【図２５】
0003667070.tif 000026
【図２６】
0003667070.tif 000027
【図２７】
0003667070.tif 000028